(57)【要約】【課題】  指針と副針部材とに十分な高低差を与えて立体感を大幅に向上させることができる文字板を提供する。【解決手段】  所定箇所に第１〜第３の各開口部１６が設けられて指針３１が上方を運針する上文字板１０と、この上文字板１０の下側に配置される下文字板１１と上文字板１０との間で、且つ上文字板１０の第１〜第３の各開口部１６に対応する位置にそれぞれ設けられた第１〜第３の各見切枠部１２と、この第１〜第３の各見切枠部１２内にそれぞれ運針可能に設けられた副針部材である小秒針３２とを備えた。従って、指針３１と副針部材である小秒針３２とに十分な高低差を与えることができ、これにより立体感を大幅に向上させることができる。【選択図】      図２
2010271334.tif 000002
【特許請求の範囲】
【請求項１】
所定箇所に開口部が設けられた上文字板と、
この上文字板の上方を運針する指針と、
この上文字板の下側に配置された下文字板と、
この下文字板と前記上文字板との間における前記上文字板の前記開口部に対応する位置に設けられた見切枠部と、
この見切枠部内に運針可能に設けられた副針部材と、
を備えていることを特徴とする文字板。
【請求項２】
前記見切枠部を前記下文字板に対して位置決めするための位置規制部を備えていることを特徴とする請求項１に記載の文字板。
【請求項３】
前記見切枠部は、前記上文字板と前記下文字板とのいずれか一方に一体に設けられていることを特徴とする請求項１に記載の文字板。
【請求項４】
前記見切枠部を前記下文字板に対して固定するための固定部材を備えていることを特徴とする請求項１または２に記載の文字板。
【請求項５】
前記見切枠部の内周面には、装飾層が設けられていることを特徴とする請求項１〜４のいずれかに記載の文字板。
【請求項６】
前記上文字板の前記開口部は、円形状、扇形状、多角形状のいずれかの所定形状に形成されていることを特徴とする請求項１〜５のいずれかに記載の文字板。
【請求項７】
前記副針部材は、針形状、円形状、楕円形状、多角形状のいずれかの所定形状に形成されていることを特徴とする請求項１〜６のいずれかに記載の文字板。
【請求項８】
前記副針部材は、針形状に形成され、その回転中心からの長さが一端部側と他端部側とで異なっていることを特徴とする請求項１〜６のいずれかに記載の文字板。
【請求項９】
請求項１に記載の文字板と、
この文字板を設けた機器本体と、
を備えたことを特徴とする電子機器。
【発明の詳細な説明】
【技術分野】
【０００１】
この発明は、時計や計器類に用いられる文字板および電子機器に関する。
【背景技術】
【０００２】
従来、時計の文字板においては、特許文献１に記載されているように、下文字板と上文字板とを備え、下文字板の上面に時刻指示領域および複数の副指示領域を設け、この下文字板上に配置される上文字板に円形の各開口部を時刻指示領域および複数の副指示領域にそれぞれ対応させて設け、この上文字板の下に下文字板を重ね合わせて貼り付けた状態で、各指示領域に対応して指針および複数の副針がそれぞれ運針するように構成されたものがある。
【先行技術文献】
【特許文献】
【０００３】
【特許文献１】ＷＯ９９／１８４７９
【発明の概要】
【発明が解決しようとする課題】
【０００４】
しかしながら、このような従来の時計の文字板では、上文字板の各開口部が対応する下文字板の時刻指示領域および複数の副指示領域にそれぞれ対応して、指針および複数の副針がそれぞれ運針する構成であるから、時刻指示領域に対応して運針する指針と、複数の副指示領域に対応して運針する複数の副針とに、高低差がほとんどなく、立体感に乏しいという問題がある。
【０００５】
この発明が解決しようとする課題は、指針と副針部材とに十分な高低差を与えて立体感を大幅に向上させることができる文字板および電子機器を提供することである。
【課題を解決するための手段】
【０００６】
この発明は、上記課題を解決するために、次のような構成要素を備えている。
請求項１に記載の発明は、所定箇所に開口部が設けられた上文字板と、この上文字板の上方を運針する指針と、前記上文字板の下側に配置された下文字板と、この下文字板と前記上文字板との間における前記上文字板の前記開口部に対応する位置に設けられた見切枠部と、この見切枠部内に運針可能に設けられた副針部材と、を備えていることを特徴とする文字板である。
【０００７】
請求項２に記載の発明は、前記見切枠部を前記下文字板に対して位置決めするための位置規制部を備えていることを特徴とする請求項１に記載の文字板である。
【０００８】
請求項３に記載の発明は、前記見切枠部が、前記上文字板と前記下文字板とのいずれか一方に一体に設けられていることを特徴とする請求項１に記載の文字板である。
【０００９】
請求項４に記載の発明は、前記見切枠部を前記下文字板に対して固定するための固定部材を備えていることを特徴とする請求項１または２に記載の文字板である。
【００１０】
請求項５に記載の発明は、前記見切枠部の内周面に、装飾層が設けられていることを特徴とする請求項１〜４のいずれかに記載の文字板である。
【００１１】
請求項６に記載の発明は、前記上文字板の前記開口部が、円形状、扇形状、多角形状のいずれかの所定形状に形成されていることを特徴とする請求項１〜５のいずれかに記載の文字板である。
【００１２】
請求項７に記載の発明は、前記副針部材が、針形状、円形状、楕円形状、多角形状のいずれかの所定形状に形成されていることを特徴とする請求項１〜６のいずれかに記載の文字板である。
【００１３】
請求項８に記載の発明は、前記副針部材が、針形状に形成され、その回転中心からの長さが一端部側と他端部側とで異なっていることを特徴とする請求項１〜６のいずれかに記載の文字板である。
【００１４】
請求項９に記載の発明は、請求項１に記載の文字板と、この文字板を設けた機器本体と、を備えたことを特徴とする電子機器である。
【発明の効果】
【００１５】
この発明によれば、指針が上文字板の上方を運針すると共に、副針部材が下文字板と上文字板との間における上文字板の開口部に対応する位置に設けられた見切枠部内を運針することにより、指針と副針部材とに十分な高低差を与えることができ、これにより立体感を大幅に向上させることができる。
【図面の簡単な説明】
【００１６】
【図１】この発明を適用した腕時計の実施形態１における正面図である。
【図２】図１のＡ−Ａ矢視における要部の拡大断面図である。
【図３】図１の文字板を示した拡大斜視図である。
【図４】図３の文字板を分解した拡大斜視図である。
【図５】図１の第２副針指示部を示した拡大正面図である。
【図６】図１の第３副針指示部を示し、（ａ）は副針の長針部が第３開口部に対応して露出した状態を示した拡大正面図、（ｂ）は副針の短針部が第３開口部に対応して露出した状態を示した拡大正面図である。
【図７】図１の腕時計を右側から斜めに見た斜視図である。
【図８】図１の腕時計を左側から斜めに見た斜視図である。
【図９】この発明の文字板の実施形態２を示した要部の拡大断面図である。
【図１０】この発明の文字板の実施形態３を示した要部の拡大断面図である。
【図１１】この発明の文字板の実施形態４を示した要部の拡大断面図である。
【図１２】この発明の文字板の実施形態５を示した要部の拡大断面図である。
【図１３】この発明の文字板の実施形態６を示した要部の拡大断面図である。
【図１４】この発明の文字板の実施形態７を示した要部の拡大断面図である。
【図１５】この発明の文字板の実施形態８を示した要部の拡大断面図である。
【図１６】この発明の文字板の実施形態９を示した要部の拡大断面図である。
【図１７】実施形態９の変形例を示した要部の拡大断面図である。
【図１８】この発明の文字板の実施形態１０を示した要部の拡大断面図である。
【図１９】この発明の文字板の実施形態１１を示し、（ａ）は第２副針指示部の回転板における長軸側が第２開口部に対応して露出した状態を示した拡大正面図、（ｂ）はその回転板における短軸側が第２開口部に対応して露出した状態を示した拡大正面図である。
【発明を実施するための形態】
【００１７】
（実施形態１）
以下、図１〜図８を参照して、この発明の文字板を腕時計に適用した実施形態１について説明する。
この腕時計は、図１に示すように、機器本体となる腕時計ケース１を備えている。この腕時計ケース１の上部には時計ガラス２が取り付けられており、この腕時計ケース１の下面には裏蓋（図示せず）が取り付けられている。また、この腕時計ケース１の内部には、図２に示すように、時計モジュール３が設けられている。
【００１８】
時計モジュール３は、図１〜図３に示すように、文字板４、ソーラーパネル５、時刻を指示する指針指示部６、第１〜第３の各副針指示部７〜９を備えている。文字板４は、図２〜図４に示すように、上文字板１０と、この上文字板１０の下側に配置される下文字板１１と、この下文字板１１と上文字板１０との間にそれぞれ配置される第１〜第３の各見切枠部１２〜１４とを備えている。
【００１９】
この場合、上文字板１０は、ポリカーボネ―ト（ＰＣ）やアクリル（ＰＭＭＡ）などの透明または半透明の合成樹脂からなり、全体がほぼ円形の平板状に形成されている。この上文字板１０のほぼ中心部には、図２および図４に示すように、軸挿入孔１５が表裏（図２では上下）に貫通して設けられており、この上文字板１０の所定箇所、つまり６時側、２時側、１０時側の３箇所には、図３および図４に示すように、第１〜第３の各副針指示部７〜９に対応する第１〜第３の各開口部１６〜１８が表裏（図２では上下）に貫通して設けられている。
【００２０】
すなわち、第１開口部１６は、図３および図４に示すように、上文字板１０の６時側に円形状に設けられている。第２開口部１７は、上文字板１０の２時側にほぼ２４０°に開いた扇形状に設けられている。第３開口部１８は、上文字板１０の１０時側にほぼ１８０°に開いたほぼ半円形の扇形状に設けられている。さらに、この上文字板１０の５時側には、四角形状の表示孔１９が表裏に貫通して設けられている。
【００２１】
また、下文字板１１は、上文字板１０と同様、ポリカーボネ―ト（ＰＣ）やアクリル（ＰＭＭＡ）などの透明または半透明の合成樹脂からなり、その外形が上文字板１０とほぼ同じ大きさの円形の平板状に形成され、その上側に上文字板１０が重なって配置されるように構成されている。この場合にも、下文字板１１のほぼ中心部には、図２および図４に示すように、軸挿入孔２０が上文字板１０の軸挿入孔１５に対応して設けられている。この下文字板１１における上文字板１０の第１〜第３の各開口部１６〜１８における各中心部に対応する箇所には、図４に示すように、第１〜第３貫通孔２１〜２３が設けられている。さらに、この下文字板１１にも、四角形状の表示孔２４が上文字板１０の表示孔１９に対応して設けられている。
【００２２】
第１〜第３の各見切枠部１２〜１４は、それぞれ黄銅（Ｂｓ）などの銅合金や、アルミニウム（Ａｌ）などの金属からなり、図１〜図４に示すように、上文字板１０と下文字板１１との間における上文字板１０の第１〜第３の各開口部１６〜１８にそれぞれ対応する位置に設けられている。すなわち、第１見切枠部１２は、図１〜図４に示すように、上文字板１０の６時側に位置する第１開口部１６に対応する円形のリング状に形成されており、その上面には、図２に示すように、第１開口部１６の内周縁に密着する突部１２ａが上文字板１０の厚みとほぼ同じ高さで、第１開口部１６の内周縁に沿って環状に設けられている。また、この第１見切枠部１２の内周面は、図２に示すように、テーパ面１２ｂに形成されている。
【００２３】
また、第２見切枠部１３は、図３および図４に示すように、上文字板１０の２時側に位置する第２開口部１７に対応する円形のリング状に形成されている。すなわち、この第２見切枠部１３は、図５に示すように、２４０°に開いた第２開口部１７における扇形状の要１７ａの部分を中心する円形状に形成されており、その上面には、図４および図５に示すように、第２開口部１７の内周縁に密着する突部１３ａが上文字板１０の厚みとほぼ同じ高さで、第２開口部１７の内周縁のみに沿って円弧状に設けられている。この場合、突部１３ａは、図５に示すように、第２開口部１７に対応する２４０°の範囲内のみに設けられており、この第２見切枠部１３の内周面も、テーパ面１３ｂに形成されている。
【００２４】
第３見切枠部１４は、図３および図４に示すように、上文字板１０の１０時側に位置する第３開口部１８に対応する円形のリング状に形成されている。すなわち、この第３見切枠部１３は、図６（ａ）および図６（ｂ）に示すように、１８０°に開いた第３開口部１８におけるほぼ半円形の扇形状の要１８ａの部分を中心する円形状に形成されており、その上面には、図４および図６に示すように、第３開口部１８の内周縁に密着する突部１４ａが上文字板１０の厚みとほぼ同じ高さで、第３開口部１８の内周縁のみに沿って円弧状に設けられている。この場合にも、突部１４ａは、図６（ａ）および図６（ｂ）に示すように、第３開口部１８に対応する１８０°の範囲内のみに設けられており、この第３見切枠部１４の内周面も、テーパ面１４ｂに形成されている。
【００２５】
また、ソーラーパネル５は、図２および図４に示すように、上文字板１０および下文字板１１を透過した外部光を受光して起電力を発生するものであり、下文字板１１とほぼ同じ大きさの円形の平板状に形成され、下文字板１１の下面に重なり合って配置されている。この場合、ソーラーパネル５にも、図４に示すように、下文字板１１の軸挿入孔２０に対応する軸挿入孔２５、下文字板１１の第１〜第３貫通孔２１〜２３に対応する第１〜第３貫通孔２６〜２８、下文字板１１の表示孔２４に対応する四角形状の表示孔２９がそれぞれ設けられている。
【００２６】
一方、指針指示部６は、図１〜図４に示すように、時刻を指示する部分であり、図２に示すように、時計ムーブメント（図示せず）の指針軸３０がソーラーパネル５、下文字板１１、上文字板１０の各軸挿入孔２９、２０、１５に下側から挿入して上文字板１０の上方に突出し、この突出した部分に秒針３１ａ、分針３１ｂ、時針３１ｃの各指針３１が取り付けられ、この指針３１が図２および図３に示すように文字板４における上文字板１０の上方を運針して時刻を指示するように構成されている。
【００２７】
また、第１〜第３の各副針指示部７〜９のうち、第１副針指示部７は、図１〜図４に示すように、副針部材である小秒針３２が運針する部分であり、図２に示すように、時計ムーブメントの副秒針軸３３がソーラーパネル５、下文字板１１の各第１貫通孔２６、２１に下側から挿入して第１見切枠部１２内に突出し、この突出した部分に小秒針３２が取り付けられ、この小秒針３２が図２および図３に示すように第１見切枠部１２内で運針するように構成されている。
【００２８】
第２副針指示部８は、潮汐の満干（タイドグラフ）や、月の満欠（ムーンフェイス）、曜日、日付などの周期性のある情報を示すための部分であり、図１、図３および図５に示すように、時計ムーブメントの回転軸３４がソーラーパネル５、下文字板１１の各第２貫通孔２７、２２に下側から挿入して第２見切枠部１３内に突出し、この突出した部分に副針部材である回転円板３５が第２見切枠部１３内に回転可能に取り付けられ、この回転円板３５の一部、つまり回転円板３５全体のほぼ２／３の部分が図３および図５に示すように第２開口部１７に対応して外部に露出することにより、周期性のある情報を示すように構成されている。この場合、回転円板３５には、潮汐の満干（タイドグラフ）や、月の満欠（ムーンフェイス）、曜日、日付などの周期性のある情報が円周方向に沿って表示されている。
【００２９】
第３副針指示部９は、午前（ＡＭ）／午後（ＰＭ）、または２４時間表示を示すための部分であり、図１、図３および図６に示すように、時計ムーブメントの副針軸３６がソーラーパネル５、下文字板１１の各第３貫通孔２８、２３に下側から挿入して第３見切枠部１４内に突出し、この突出した部分に副針部材である副針３７が第３見切枠部１４内で運針可能に取り付けられ、この副針３７の両端部３７ａ、３７ｂ側が図６（ａ）および図６（ｂ）に示すように交互に第３開口部１８に対応して外部に露出するように構成されている。この場合、副針３７は、回転中心である副針軸３６からの長さが一端部３７ａ側と他端部３７ｂ側とで異なっている。
【００３０】
すなわち、この副針３７は、回転中心である副針軸３６からの長さの長い一端部側である長針部３７ａが、図６（ａ）に示すように、第３開口部１８に対応して運針する際に、第３見切枠部１４のテーパ面１４ｂの上部側を指示することにより、午前を示し、また副針軸３６からの長さの短い他端部側である短針部３７ｂが、図６（ｂ）に示すように、第３開口部１８に対応して運針する際に、第３見切枠部１４のテーパ面１４ｂの下部側を指示することにより、午後を示すように構成されている。なお、上文字板１０の表示孔１９、下文字板１１の表示孔２４、およびソーラーパネル５の表示孔２９は、図示しないが、日車や表示素子に表示された曜日、日、月などの日付情報が表示されるように構成されている。
【００３１】
このように、この腕時計の文字板４によれば、所定箇所に第１〜第３の各開口部１６〜１８が設けられて指針３１が上方を運針する上文字板１０と、この上文字板１０の下側に配置される下文字板１１と上文字板１０との間における上文字板１０の第１〜第３の各開口部１６〜１８に対応する位置にそれぞれ設けられた第１〜第３の各見切枠部１２〜１４と、この第１〜第３の各見切枠部１２〜１４内にそれぞれ運針可能に設けられた副針部材である小秒針３２、回転円板３５、副針３７とを備えているので、立体感のあるものを得ることができる。
【００３２】
すなわち、この腕時計の文字板４によれば、図２および図３に示すように、指針３１が上文字板１０の上方を運針すると共に、副針部材である小秒針３２、回転円板３４、副針３６が下文字板１１と上文字板１０との間で且つ上文字板１０の第１〜第３の各開口部１６〜１８に対応する位置に設けられた第１〜第３の各見切枠部１２〜１４内をそれぞれ運針するので、図７および図８に示すように、指針３１と副針部材である小秒針３２、回転円板３５、副針３７とに十分な高低差を与えることができ、これにより立体感を大幅に向上させることができる。
【００３３】
この場合、文字板４における上文字板１０に設けられた第１〜第３の各開口部１６〜１８のうち、第１開口部１６は、円形状に形成され、これに伴って第１見切枠部１２が円形のリング状に形成されていることにより、上文字板１０に対し下文字板１１を深く落とし込むことができるほか、第１見切枠部１２の突部１２ａが第１開口部１６の開口縁に密着していると共に、第１見切枠部１２の内周面がテーパ面１２ｂに形成されているので、外観的にもデザイン的にも、好ましいものを得ることができる。
【００３４】
また、上文字板１０の第２開口部１７は、ほぼ２４０°に開いた扇形状に形成され、これに伴って第２見切枠部１３は、第２開口部１７における扇形状の要１７ａの部分を中心する円形のリング状に形成されているが、この第２見切枠部１３は、第２開口部１７に対応する部分のみが扇形状に外部に露出することにより、外観的にもデザイン的にも好ましいほか、上文字板１０に対し下文字板１１を深く落とし込むことができる。この場合にも、第２見切枠部１３の突部１３ａが第２開口部１７の開口縁に密着していると共に、第２見切枠部１３の内周面がテーパ面１３ｂに形成されているので、これによっても外観的にもデザイン的にも、好ましいものを得ることができる。
【００３５】
また、上文字板１０の第３開口部１８は、ほぼ１８０°に開いたほぼ半円形の扇形状に形成され、これに伴って第３見切枠部１４は、第３開口部１８における扇形状の要１８ａの部分を中心する円形のリング状に形成されているが、この第３見切枠部１４は、第３開口部１８に対応する部分のみが半円形の扇形状に外部に露出することにより、外観的にもデザイン的にも好ましいほか、上文字板１０に対し下文字板１１を深く落とし込むことができる。この場合にも、第３見切枠部１４の突部１４ａが第３開口部１８の開口縁に密着していると共に、第３見切枠部１４の内周面がテーパ面１４ｂに形成されているので、これによっても外観的にもデザイン的にも、好ましいものを得ることができる。
【００３６】
一方、この文字板４によれば、第１〜第３の各副針指示部７〜９のうち、第１副針指示部７は、副針部材である小秒針３２が第１見切枠部１２内で運針することにより、指針３１に対して小秒針３２を低い位置で運針させることができると共に、指針３１の秒針３１ａのほかに、小秒針３２によっても秒時刻を知ることができる。このため、例えば小秒針３２をストップウオッチの秒測定として使用することができる。また逆に、小秒針３２で現在時刻の秒時刻を指示させることにより、指針３１の秒針３１ａをストップウオッチの秒測定として使用することもできる。
【００３７】
また、第２副針指示部８は、副針部材である回転円板３５が第２見切枠部１３内で回転することにより、指針３１に対して回転円板３５を低い位置で運針させることができると共に、この回転円板３５の一部、つまり回転円板３５全体のほぼ２／３の部分が第２開口部１７に対応して外部に露出することにより、潮汐の満干（タイドグラフ）や、月の満欠（ムーンフェイス）、曜日、日付などの周期性のある情報を分かり易く且つ良好に示すことができる。
【００３８】
また、第３副針指示部９は、副針部材として、回転中心である副針軸３６からの長さが一端部３７ａ側と他端部３７ｂ側とで異なる副針３７を備え、この副針３７が第３見切枠部１４内で運針することにより、指針３１に対して副針３７を低い位置で運針させることができると共に、この副針３７の両端部３７ａ、３７ｂ側が交互に第３開口部１８に対応して外部に露出することにより、午前（ＡＭ）／午後（ＰＭ）、または２４時間表示を分かり易く且つ良好に示すことができる。
【００３９】
すなわち、この副針３７は、一端部側である長針部３７ａが第３開口部１８に対応して運針する際、第３見切枠部１４のテーパ面１４ｂの上部側を指示することにより、例えば午前（ＡＭ）を分かり易く示すことができ、また他端部側である短針部３７ｂが第３開口部１８に対応して運針する際、第３見切枠部１４のテーパ面１４ｂの下部側を指示することにより、例えば午後（ＰＭ）を分かり易く示すことができる。
【００４０】
（実施形態２）
次に、図９を参照して、この発明の文字板を腕時計に適用した実施形態２について説明する。なお、図１〜図８に示された実施形態１と同一部分には同一符号を付して説明する。
この腕時計に用いられる文字板４は、見切枠部４１を下文字板１１に対して位置決めするための位置規制部４２を備えた構成であり、これ以外は実施形態１と同じ構成になっている。この場合、見切枠部４１は、実施形態１の第１〜第３見切枠部１２〜１４にそれぞれ相当するが、図９では第１見切枠部１２に相当するもののみを示す。
【００４１】
すなわち、この見切枠部４１は、実施形態１の第１見切枠部１２と同様、全体が円形のリング状に形成され、上文字板１０に設けられた円形の第１開口部１６に嵌合するように形成されている。また、位置規制部４２は、図９に示すように、見切枠部４１の下面における所定箇所に設けられた位置決め突起部４２ａと、下文字板１１に設けられて見切枠部４１の位置決め突起部４２ａが挿入する位置決め孔４２ｂとを備えている。これにより、位置規制部４２は、図９に示すように、見切枠部４１の下面に設けられた位置決め突起部４２ａが、下文字板１１に設けられた位置決め孔４２ｂに挿入することにより、見切枠部４１を下文字板１１に対して位置決めするように構成されている。
【００４２】
このような文字板４においても、実施形態１と同様の作用効果があるほか、特に見切枠部４１の下面に設けられた位置規制部４２の位置決め突起部４２ａが、下文字板１１に設けられた位置決め孔４２ｂに挿入することにより、位置規制部４２によって見切枠部４１を下文字板１１に対して正確に位置決めすることができる。このため、見切枠部４１が、実施形態１の第１〜第３見切枠部１２〜１４のうち、特に第１見切枠部１２と同様、全体が円形のリング状に形成され、上文字板１０に設けられた円形の第１開口部１６に嵌合させる際、見切枠部４１が周方向に位置ズレを起こさず、正確に且つ良好に位置決めすることができる。
【００４３】
（実施形態３）
次に、図１０を参照して、この発明の文字板を腕時計に適用した実施形態３について説明する。この場合にも、図１〜図８に示された実施形態１および図９に示された実施形態２と同一部分に同一符号を付して説明する。
この腕時計に用いられる文字板４は、見切枠部４５を上文字板１０に一体に形成した構成であり、これ以外は実施形態１、２とほぼ同じ構成になっている。この場合にも、見切枠部４５は、実施形態１の第１〜第３見切枠部１２〜１４にそれぞれ相当するが、図１０では第１見切枠部１２に相当するもののみを示す。
【００４４】
すなわち、この見切枠部４５は、実施形態１の第１見切枠部１２と同様、全体が円形のリング状に形成され、この見切枠部４５の外周面に上文字板１０に設けられた円形の第１開口部１６の開口縁が食い込んだ状態で、インサート成形または２色成形によって上文字板１０に一体に形成されている。この場合にも、見切枠部４５の内周面は、テーパ面４５ｂに形成されている。また、この見切枠部４５も、位置規制部４２によって下文字板１１に対して位置決めされるように構成されている。
【００４５】
このような文字板４によれば、実施形態１と同様の作用効果があるほか、見切枠部４５を上文字板１０に一体に形成したので、この見切枠部４５が実施形態１の第１〜第３見切枠部１２〜１４に相当することにより、実施形態１の第１〜第３見切枠部１２〜１４のように個別に見切枠部４５を上文字板１０に組み付ける必要がなく、複数の見切枠部４５を一度に上文字板１０に組み付けることができ、これにより生産性の向上を図ることができる。この場合にも、見切枠部４５の下面に設けられた位置規制部４２の位置決め突起部４２ａが下文字板１１に設けられた位置決め孔４２ｂに挿入して、見切枠部４１を下文字板１１に対して位置決めすることができるので、見切枠部４５を上文字板１０と共に正確に且つ確実に下文字板１１に対して位置決めすることができる。
【００４６】
（実施形態４）
次に、図１１を参照して、この発明の文字板を腕時計に適用した実施形態４について説明する。この場合にも、図１〜図８に示された実施形態１と同一部分に同一符号を付して説明する。
この腕時計に用いられる文字板４は、見切枠部５０を射出成形によって下文字板１１と一体に形成した構成であり、これ以外は実施形態１とほぼ同じ構成になっている。この場合にも、見切枠部５０は、実施形態１の第１〜第３見切枠部１２〜１４にそれぞれ相当するが、図１１では第１見切枠部１２に相当するもののみを示す。
【００４７】
すなわち、この見切枠部５０は、下文字板１１と同じＰＣ、ＰＭＭＡなどの透明または半透明の合成樹脂からなり、射出成形によって下文字板１１と一体に形成されている。この場合にも、見切枠部５０は、実施形態１の第１見切枠部１２と同様、全体が円形のリング状に形成され、上文字板１０に設けられた円形の第１開口部１６に嵌合するように形成されている。また、この見切枠部５０は、その上面に上文字板１０における第１開口部１６の内周縁に密着する突部５０ａが上文字板１０の厚みとほぼ同じ高さで設けられ、この見切枠部５０の内周面もテーパ面５０ｂに形成された構成になっている。この場合、下文字板１１における見切枠部５０に対応する箇所には、射出成形時に樹脂の収縮による窪みを防ぐための凹部５１が設けられている。
【００４８】
このような文字板４によれば、実施形態１と同様の作用効果があるほか、見切枠部５０を下文字板１１と同じ材料で射出成形によって下文字板１１と一体に形成したので、見切枠部５０が実施形態１の第１〜第３見切枠部１２〜１４に相当することにより、実施形態１の第１〜第３見切枠部１２〜１４のように個別に見切枠部５０を製作する必要がなく、複数の見切枠部５０を一度に下文字板１１と共に成形することができ、これにより生産性の向上を図ることができると共に、部品管理の簡素化をも図ることができる。
【００４９】
なお、上記実施形態４では、射出成形によって見切枠部５０を下文字板１１に一体に形成した場合について述べたが、これに限らず、例えば電鋳法や、プレス加工、切削加工などによって見切枠部５０を下文字板１１に一体に形成しても良い。また、上記実施形態４およびその変形例では、見切枠部５０を下文字板１１に一体に形成した場合について述べたが、これに限らず、例えば見切枠部５０を上文字板１０と同じＰＣ、ＰＭＭＡなどの透明または半透明の合成樹脂で射出成形や、電鋳法、プレス加工、切削加工などによって上文字板１０に一体に形成した構成でも良い。
【００５０】
（実施形態５）
次に、図１２を参照して、この発明の文字板を腕時計に適用した実施形態５について説明する。この場合にも、図１〜図８に示された実施形態１および図９に示された実施形態２と同一部分に同一符号を付して説明する。
この腕時計に用いられる文字板４は、透明または半透明の見切板５５に見切枠部５６を一体に形成する共に、見切枠部５６の内周面側に装飾層５７を設けた構成であり、これ以外は実施形態１、２とほぼ同じ構成になっている。
【００５１】
すなわち、見切板５５は、ＰＣ、ＰＭＭＡ、無機ガラスなどの透明または半透明の材料からなる１枚の平板であり、実施形態１の第１〜第３見切枠部１２〜１４にそれぞれ相当する複数の見切枠部５６（図１２では第１見切枠部１２に相当するもののみを示す）が一体に形成され、上文字板１０と下文字板１１との間に配置されるように構成されている。この場合、見切枠部５６は、実施形態１の第１見切枠部１２と同様、全体が円形のリング状に形成され、上文字板１０に設けられた円形の第１開口部１６に嵌合するように形成されている。
【００５２】
また、この見切枠部５６は、その上面に上文字板１０における第１開口部１６の内周縁に密着する突部５６ａが上文字板１０の厚みとほぼ同じ高さで設けられ、この見切枠部５６の内周面もテーパ面５６ｂに形成された構成になっている。そして、この見切枠部５６の内周面側、つまり突部５６ａの上面、テーパ面５６ｂおよびその下部の立下り面５６ｃには、装飾層５７が設けられている。この装飾層５７は、塗装、メッキ、蒸着などによって形成された表面処理層である。さらに、この見切枠部５１は、位置規制部４２によって下文字板１１に対して位置決めされるように構成されている。
【００５３】
このような文字板４においても、実施形態１と同様の作用効果があるほか、１枚の見切板５５に複数の見切枠部５６、つまり実施形態１の第１〜第３見切枠部１２〜１４に相当する複数の見切枠部５６を一体に形成しているので、実施形態１の第１〜第３見切枠部１２〜１４のように個別に製作する必要がなく、複数の見切枠部５６を一度に成形することができ、これにより生産性の向上を図ることができる。また、この文字板４では、見切枠部５６の内周面に装飾層５７が設けられているので、見切枠部５６が透明または半透明であっても、装飾層５７によって外観性およびデザイン性の向上を図ることができる。この場合にも、位置規制部４２によって見切枠部５６を見切板５５と共に下文字板１１に対して正確に位置決めすることができる。
【００５４】
（実施形態６）
次に、図１３を参照して、この発明の文字板を腕時計に適用した実施形態６について説明する。この場合にも、図１〜図８に示された実施形態１および図９に示された実施形態２と同一部分に同一符号を付して説明する。
この腕時計に用いられる文字板４は、実施形態１と同じ黄銅（Ｂｓ）などの銅合金や、アルミニウム（Ａｌ）などの金属からなる見切枠部６０を、下文字板１１の上面に両面接着テープ６１で貼り付けた構成であり、これ以外は実施形態１、２とほぼ同じ構成になっている。この場合にも、見切枠部６０は、実施形態１の第１〜第３見切枠部１２〜１４にそれぞれ相当するが、図１３では第１見切枠部１２に相当するもののみを示す。
【００５５】
また、下文字板１１における見切枠部６０に対応する箇所の上面には、一段低い取付凹部６２が形成されており、これにより見切枠部６０の周囲に位置する下文字板１１の上面には、見切枠部６０の外周に両面接着テープ６１のはみ出しを防ぐ防御壁６３が形成されている。なお、この場合にも、見切枠部６０は、実施形態２と同様、位置規制部４２によって下文字板１１に対して位置決めされるように構成されている。
【００５６】
このような文字板４においても、実施形態１と同様の作用効果があるほか、下文字板１１における見切枠部６０に対応する箇所の上面に設けられた取付凹部６２に、見切枠部６０を位置規制部４２によって正確に位置決めして配置することができるので、見切枠部６０を両面接着テープ６１によって下文字板１１の上面に正確に且つ容易に貼り付けることができると共に、両面接着テープ６１によって見切枠部６０を下文字板１１の上面に貼り付けても、見切枠部６０の周囲に位置する下文字板１１の上面に設けられた防御壁６３によって、両面接着テープ６１が見切枠部６０の外周にはみ出すのを確実に防ぐことができる。
【００５７】
なお、上記実施形態６では、見切枠部６０を下文字板１１の上面に両面接着テープ６１で貼り付けた場合について述べたが、必ずしも両面接着テープ６１である必要はなく、接着剤で見切枠部６０を下文字板１１における取付凹部６２の上面に貼り付けても良い。この場合にも、実施形態６と同様、見切枠部６０の周囲に位置する下文字板１１の上面に設けられた防御壁６３によって、接着剤が見切枠部６０の外周にはみ出すのを確実に防ぐことができる。
【００５８】
（実施形態７）
次に、図１４を参照して、この発明の文字板を腕時計に適用した実施形態７について説明する。この場合にも、図１〜図８に示された実施形態１と同一部分に同一符号を付して説明する。
この腕時計に用いられる文字板４は、実施形態１と同じ黄銅（Ｂｓ）などの銅合金や、アルミニウム（Ａｌ）などの金属からなる見切枠部６５の下面に位置決め突起部６６を設け、この位置決め突起部６６の下端部にカシメ部６７を設けた構成であり、これ以外は実施形態１とほぼ同じ構成になっている。
【００５９】
この場合にも、見切枠部６５は、実施形態１の第１〜第３見切枠部１２〜１４にそれぞれ相当するが、図１４では第１見切枠部１２に相当するもののみを示す。また、下文字板１１には、見切枠部６５の位置決め突起部６６が挿入する位置決め孔６８が設けられていると共に、この位置決め孔６８に対応する下文字板１１の下面には、位置決め突起部６６の下端部に位置するカシメ部６７をカシメ込むためのカシメ凹部６９が設けられている。
【００６０】
これにより、見切枠部６５は、図１４に示すように、その下面に設けられた位置決め突起部６６が、下文字板１１に設けられた位置決め孔６８に挿入することにより、下文字板１１に対して位置決めされる。また、この見切枠部６５は、位置決め突起部６６の下端部に位置するカシメ部６７が下文字板１１の下面に設けられたカシメ凹部６９内に突出し、この突出したカシメ部６７をカシメ凹部６９内でカシメることにより、カシメ部６７が下文字板１１の下面から下側に突出することなく下文字板１１に対して固定されるように構成されている。
【００６１】
このような文字板４においても、実施形態１と同様の作用効果があるほか、見切枠部６５の下面に設けられた位置決め突起部６６を、下文字板１１に設けられた位置決め孔６８に挿入させることにより、見切枠部６５を下文字板１１に対して正確に位置決めすることができると共に、この状態で位置決め突起部６６の下端部のカシメ部６７を下文字板１１の下面のカシメ凹部６９内に挿入させて、カシメ部６７をカシメ凹部６９内でカシメることにより、見切枠部６５を下文字板１１に対して確実に且つ強固に固定することができる。
【００６２】
（実施形態８）
次に、図１５を参照して、この発明の文字板を腕時計に適用した実施形態８について説明する。この場合にも、図１〜図８に示された実施形態１と同一部分に同一符号を付して説明する。
この腕時計に用いられる文字板４は、実施形態１と同じ黄銅（Ｂｓ）などの銅合金や、アルミニウム（Ａｌ）などの金属からなる見切枠部７０を下文字板１１にビス７１によって取り付けた構成であり、これ以外は実施形態１とほぼ同じ構成になっている。この場合にも、見切枠部７０は、実施形態１の第１〜第３見切枠部１２〜１４にそれぞれ相当するが、図１５では第１見切枠部１２に相当するもののみを示す。
【００６３】
すなわち、見切枠部７０の下面には、ねじ穴７０ａがほぼ垂直に設けられている。また、下文字板１１には、ねじ挿入孔７２が見切枠部７０のねじ穴７０ａに対応して設けられていると共に、このねじ挿入孔７２に対応する箇所における下文字板１１の下面には、ビス７１の頭部が下文字板１１の下面から突出するのを防ぐための座ぐり部７３が設けられている。これにより、見切枠部７０は、ビス７１が下文字板１１のねじ挿入孔７２を通して見切枠部７０のねじ穴７０ａに螺入し、ビス７１の頭部が下文字板１１の座ぐり部７３に配置されて締め付けられることにより、下文字板１１上に固定されるように構成されている。
【００６４】
このような文字板４においても、実施形態１と同様の作用効果があるほか、下文字板１１のねじ挿入孔７２を通して見切枠部７０のねじ穴７０ａにビス７１を螺入させることにより、見切枠部７０を下文字板１１に対して正確に位置決めすることができると共に、この状態でビス７１を締め付けることにより、ビス７１の頭部が下文字板１１の下面から突出することなく下文字板１１の座ぐり部７３内に配置された状態で、見切枠部７０を下文字板１１に対して確実に且つ強固に固定することができる。
【００６５】
なお、上記実施形態８では、ビス７１によって見切枠部７０を下文字板１１に取り付けた場合について述べたが、これに限らず、例えばピンによって見切枠部７０を下文字板１１に取り付けるように構成しても良い。この場合には、見切枠部７０の下面にピン固定穴を設け、下文字板１１にピン挿入孔を設け、この下文字板１１のピン挿入孔から上文字板１０のピン固定孔にピンを圧入させることにより、見切枠部７０を下文字板１１に取り付けるように構成すれば良い。
【００６６】
（実施形態９）
次に、図１６を参照して、この発明の文字板を腕時計に適用した実施形態９について説明する。この場合にも、図１〜図８に示された実施形態１と同一部分に同一符号を付して説明する。
この腕時計に用いられる文字板４は、実施形態１と同じ黄銅（Ｂｓ）などの銅合金や、アルミニウム（Ａｌ）などの金属からなる見切枠部７５の下面に位置決め突起部７６を設け、この位置決め突起部７６を下文字板１１の位置決め孔７８に挿入させて下側に突出させ、この突出した下端部に抜止め部材７７を取り付けることにより、見切枠部７５を下文字板１１に固定した構成であり、これ以外は実施形態１とほぼ同じ構成になっている。
【００６７】
この場合にも、見切枠部７５は、実施形態１の第１〜第３見切枠部１２〜１４にそれぞれ相当するが、図１６では第１見切枠部１２に相当するもののみを示す。また、位置決め突起部７６の下端部には、抜止め部材７７を取り付けるための取付溝部７６ａが設けられている。抜止め部材７７は、Ｅリングなどのほぼ円板状のものであり、そのほぼ中心部が位置決め突起部７６の取付溝部７６ａに取り付けられるように構成されている。また、下文字板１１には、見切枠部７５の位置決め突起部７６が挿入する位置決め孔７８が設けられている。
【００６８】
この位置決め孔７８に対応する箇所の下文字板１１の下面には、抜止め部材７７が下文字板１１の下面から下側に突出しないように配置されるための座ぐり部７９が設けられている。これにより、見切枠部７５は、図１６に示すように、その下面に設けられた位置決め突起部７６が、下文字板１１に設けられた位置決め孔７８に挿入して下文字板１１の下面側に突出し、この突出した位置決め突起部７６の下端部に設けられた取付溝部７６ａに抜止め部材７７を取り付けることにより、下文字板１１に対して位置決めされた状態で、下文字板１１に固定されるように構成されている。
【００６９】
このような文字板４においても、実施形態１と同様の作用効果があるほか、見切枠部７５の下面に設けられた位置決め突起部７６を、下文字板１１に設けられた位置決め孔７８に挿入させることにより、見切枠部７５を下文字板１１に対して正確に位置決めすることができると共に、この状態で位置決め突起部７６の下端部に設けられた取付溝部７６ａに抜止め部材７７を取り付けることにより、見切枠部６７を下文字板１１に対して確実に固定することができる。
【００７０】
なお、上記実施形態９では、抜止め部材として、Ｅリングなどのほぼ円板状の抜止め部材７７を用い、この抜止め部材７７を見切枠部７５の位置決め突起部７６の下端部に設けられた取付溝部７６ａに取り付けるように構成した場合について述べたが、これに限らず、例えば図１７に示す変形例のように、抜止め部材として、ピンなどの棒状の抜止め部材８０を用い、この抜止め部材８０を見切枠部７５の位置決め突起部７６の下端部に設けられた取付孔８１に挿入させて取り付けることにより、見切枠部６７を下文字板１１に対して固定するように構成しても良い。
【００７１】
（実施形態１０）
次に、図１８を参照して、この発明の文字板を腕時計に適用した実施形態１０について説明する。この場合にも、図１〜図８に示された実施形態１および図９に示された実施形態２と同一部分に同一符号を付して説明する。
この腕時計に用いられる文字板４は、実施形態１と同じ黄銅（Ｂｓ）などの銅合金や、アルミニウム（Ａｌ）などの金属からなる見切枠部８５を下文字板１１に対して位置決めするための位置規制部４２を備え、この位置規制部４２の近傍に位置する箇所の見切枠部８５の下面に溶着突起部８６を設け、この溶着突起部８６を超音波により溶融させて下文字板１１の上面に固着させた構成であり、これ以外は実施形態１、２とほぼ同じ構成になっている。
【００７２】
この場合にも、見切枠部８５は、実施形態１の第１〜第３見切枠部１２〜１４にそれぞれ相当するが、図１８では第１見切枠部１２に相当するもののみを示す。また、見切枠部８５の溶着突起部８６は、図１８に示すように、断面形状が逆三角形状に形成され、見切枠部８５の下面にリング状に連続して形成されていても良く、また所定箇所のみに設けられていても良い。また、位置規制部４２は、見切枠部８５の下面に設けられた位置決め突起部４２ａと、下文字板１１に設けられた位置決め突起部４２ａが挿入する位置決め孔４２ｂとを備えている。
【００７３】
このような文字板４においても、実施形態１と同様の作用効果があるほか、見切枠部８５の下面に設けられた位置規制部４２の位置決め突起部４２ａを、下文字板１１に設けられた位置決め孔４２ｂに挿入させることにより、見切枠部８５を下文字板１１に対して正確に位置決めすることができると共に、この状態で見切枠部８５の下面に設けられた溶着突起部８６を超音波によって溶融させて下文字板１１の上面に固着させることにより、見切枠部８５を下文字板１１に対して確実に且つ強固に固定することができる。
【００７４】
なお、上記実施形態１０では、見切枠部８５の下面に溶着突起部８６を設けて下文字板１１に固着させた場合について述べたが、これに限らず、例えば見切枠部８５の上面に溶着突起部８６を設け、この溶着突起部８６を上文字板１０の下面に超音波によって溶融させて固着させるように構成しても良い。
【００７５】
（実施形態１１）
次に、図１９（ａ）および図１９（ｂ）を参照して、この発明の文字板を腕時計に適用した実施形態１１について説明する。この場合にも、図１〜図８に示された実施形態１と同一部分に同一符号を付して説明する。
この腕時計に用いられる文字板４は、第１〜第３副針指示部７〜９のうち、第２副針指示部９０が実施形態１と異なる構成であり、これ以外は実施形態１とほぼ同じ構成になっている。
【００７６】
すなわち、この第２副針指示部９０は、図１および図３に示したように、上文字板１０の２時側に設けられた第２開口部９１に位置している。この第２開口部９１は、図１９（ａ）および図１９（ｂ）に示すように、３０°〜４０°程度の鋭角に開いた扇形状に形成されている。また、この第２見切枠部９２は、第２開口部９１の扇形状の要９１ａの部分を中心とする円形のリング形状に形成されている。
【００７７】
副針部材である回転板９３は、楕円形状に形成されている。この場合、第２見切枠部９２の上面には、第２開口部９１の内周縁に密着する突部９２ａが上文字板１０の厚みとほぼ同じ高さで、第２開口部９１の内周縁のみに沿って設けられている。すなわち、この突部９２ａは、第２開口部９１に対応する３０°〜４０°程度の鋭角の範囲内のみに設けられており、またこの第２見切枠部９２の内周面も、実施形態１と同様、テーパ面９２ｂに形成されている。
【００７８】
また、副針部材である回転板９３は、時計ムーブメント（図示せず）の回転軸９４が、実施形態１と同様、ソーラーパネル５、下文字板１１の各第２貫通孔２７、２２に下側から挿入して第２見切枠部９２内に突出し、この突出した部分が第２開口部９１の扇形状の要９１ａの部分に対応し、この対応した部分に回転板９３の中心部が取り付けられている。この場合、回転板９３は、第２見切枠部９２内で回転し、その一部が第２開口部９１に対応して外部に露出することにより、気温、湿度、高度、気圧、大気濃度などの環境情報を示すように構成されている。
【００７９】
すなわち、この回転板９３は、楕円形状に形成されていることにより、楕円の長軸９３ａ側が第２開口部９１に対応すると、図１９（ａ）に示すように、回転板９３の露出面積が多くなり、また楕円の短軸９３ｂ側が第２開口部９１に対応すると、図１９（ｂ）に示すように、回転板９３の露出面積が少なくなり、これにより気温などの環境情報を示すように構成されている。この場合、回転板９３には、気温などの環境情報を表す目盛が、数字や色分けによって円周方向に沿って表示されていることが望ましい。
【００８０】
このような腕時計の文字板４によれば、実施形態１と同様の作用効果があるほか、特に第２開口部９１が３０°〜４０°程度の鋭角に開いた扇形状に形成され、副針部材である回転板９３が楕円形状に形成されていることにより、第２見切枠部１３内で回転板９３が回転する際、回転板９３の一部、つまり回転板９３の長軸９３ａ側と短軸９３ｂ側とで第２開口部９１に対応して露出面積が異なることにより、気温、湿度、高度、気圧、大気濃度などの環境情報を分かり易く且つ良好に示すことができる。
【００８１】
なお、上記実施形態１、１１では、第２副針指示部８、９０の副針部材として、円形状の回転円板３５、または楕円形状の回転板９３を用いた場合について述べたが、これに限らず、例えば三角形、四角形、五角形などの多角形状の回転板を用いても良い。
【００８２】
また、上記実施形態１〜１１およびその各変形例では、第１開口部１６を円形状に形成し、第２、第３の各開口部１７、１８をそれぞれ開き角度の異なる扇形状に形成した場合について述べたが、これに限らず、例えば第１〜第３開口部１６〜１８を三角形、四角形、五角形などの多角形状、あるいは楕円形状や半楕円形状に形成しても良い。
【００８３】
また、上記実施形態１〜２、６〜１１およびその各変形例では、見切枠部１２〜１４、４１、６０、６５、７０、７５、８５、９２を黄銅などの銅合金や、アルミニウムなどの金属で形成した場合について述べたが、これに限らず、実施形態４、５の見切枠部５０、５６と同様、ＰＣ、ＰＭＭＡなどの透明または半透明の合成樹脂で形成しても良い。この場合には、実施形態５と同様、見切枠部１２〜１４、４１、６０、６５、７０、７５、８５、９２の内周面に装飾層５７を設けることが望ましい。
【００８４】
さらに、上記実施形態１〜１１およびその各変形例では、腕時計に適用した場合について述べたが、必ずしも腕時計である必要はなく、トラベルウオッチ、目覚まし時計、置き時計、掛け時計などの各種の時計に適用することができるほか、時計に限らず、メータなどの各種の計器類を含む電子機器にも広く適用することができる。
【符号の説明】
【００８５】
１  腕時計ケース
３  時計モジュール
４  文字板
６  指針指示部
７〜９  第１〜第３副針指示部
１０  上文字板
１１  下文字板
１２〜１４  第１〜第３見切枠部
１６〜１８  第１〜第３開口部
３１  指針
３２  小秒針
３５  回転円板
３７  副針
４１、４５、５０、５６、６０、６５、７０、７５、８５  見切枠部
４２、  位置規制部
４２ａ  位置決め突起部
４２ｂ  位置決め孔
５５  見切板
５７  装飾層
６１  両面接着テープ
６７  カシメ部
７１  ビス
７７、８０  抜止め部材
８６  溶着突起部
９０  第２副針指示部
９１  第２開口部
９２  第２見切枠部
９３  回転板
【図１】
2010271334.tif 000003
【図２】
2010271334.tif 000004
【図３】
2010271334.tif 000005
【図４】
2010271334.tif 000006
【図５】
2010271334.tif 000007
【図６】
2010271334.tif 000008
【図７】
2010271334.tif 000009
【図８】
2010271334.tif 000010
【図９】
2010271334.tif 000011
【図１０】
2010271334.tif 000012
【図１１】
2010271334.tif 000013
【図１２】
2010271334.tif 000014
【図１３】
2010271334.tif 000015
【図１４】
2010271334.tif 000016
【図１５】
2010271334.tif 000017
【図１６】
2010271334.tif 000018
【図１７】
2010271334.tif 000019
【図１８】
2010271334.tif 000020
【図１９】
2010271334.tif 000021
【手続補正書】
【提出日】平成22年9月16日(2010.9.16)
【手続補正１】
【補正対象書類名】明細書
【補正対象項目名】０００６
【補正方法】変更
【補正の内容】
【０００６】
この発明は、上記課題を解決するために、次のような構成要素を備えている。
請求項１に記載の発明は、
複数の箇所に予め定められている形状の開口部が設けられた上文字板と、
この上文字板の中央位置に、前記開口部の位置よりも上方に突出するように設けられている指針軸と、
この指針軸の突出した部分の先端に運針可能に取り付けられた複数の指針と、
前記上文字板の下側位置に配置された下文字板と、
この下文字板と前記上文字板との間で、かつ、当該上文字板における前記複数の開口部の位置と対応する位置にそれぞれ設けられた見切枠部材と、
この複数の見切枠部材内において運針可能にそれぞれ設けられた副針部材とを備えており、
前記複数の見切枠部材は、当該複数の見切枠部材を前記下文字板にそれぞれ位置決めするための位置規制部を備えていることを特徴とする文字板である。
【手続補正２】
【補正対象書類名】明細書
【補正対象項目名】０００７
【補正方法】変更
【補正の内容】
【０００７】
請求項２に記載の発明は、
複数の箇所に予め定められている形状の開口部が設けられた上文字板と、
この上文字板の中央位置に、前記開口部の位置よりも上方に突出するように設けられている指針軸と、
この指針軸の突出した部分の先端に運針可能に取り付けられた複数の指針と、
前記上文字板の下側位置に配置された下文字板と、
この下文字板と前記上文字板との間で、かつ、当該上文字板における前記複数の開口部の位置と対応する位置にそれぞれ設けられた見切枠部材と、
この複数の見切枠部材と対応する位置に、運針可能にそれぞれ設けられた副針部材とを備えており、
前記複数の複数の開口部のうち、一つの開口部は、扇形状の開口部であり、前記複数の副針部材のうち、一つの副針部材は、前記扇形状の開口部を移動可能に設けられた回転板であり、
前記複数の見切枠部材は、当該複数の見切枠部材を前記下文字板にそれぞれ位置決めするための位置規制部を備えていることを特徴とする文字板である。
【手続補正３】
【補正対象書類名】明細書
【補正対象項目名】０００８
【補正方法】変更
【補正の内容】
【０００８】
請求項３に記載の発明は、前記位置規制部は、前記見切枠部の下部に設けられた位置決め突起部と前記下文字板に形成された位置決め孔とから構成されていることを特徴とする請求項１または２に記載の文字板である。
【手続補正４】
【補正対象書類名】明細書
【補正対象項目名】０００９
【補正方法】変更
【補正の内容】
【０００９】
請求項４に記載の発明は、前記位置規制部は、前記見切枠部の下部に設けられた位置決め突起部と前記下文字板に形成された位置決め孔とから構成されており、前記位置決め突起部の先端には、前記見切枠部を前記下文字板に対して固定するための固定部材を備えていることを特徴とする請求項１または２に記載の文字板である。
【手続補正５】
【補正対象書類名】明細書
【補正対象項目名】００１５
【補正方法】変更
【補正の内容】
【００１５】
この発明によれば、上文字板の中央位置に設けられている指針が上文字板の上方を運針すると共に、複数の副針部材が下文字板と上文字板との間における上文字板の開口部に対応する位置に設けられた複数の見切枠部内を運針するようにしているので、指針と複数の副針部材とに十分な高低差を与えることができ、これにより立体感を大幅に向上させることができる。 
【手続補正６】
【補正対象書類名】特許請求の範囲
【補正対象項目名】全文
【補正方法】変更
【補正の内容】
【特許請求の範囲】
【請求項１】
複数の箇所に予め定められている形状の開口部が設けられた上文字板と、
この上文字板の中央位置に、前記開口部の位置よりも上方に突出するように設けられている指針軸と、
この指針軸の突出した部分の先端に運針可能に取り付けられた複数の指針と、
前記上文字板の下側位置に配置された下文字板と、
この下文字板と前記上文字板との間で、かつ、当該上文字板における前記複数の開口部の位置と対応する位置にそれぞれ設けられた見切枠部材と、
この複数の見切枠部材内において運針可能にそれぞれ設けられた副針部材とを備えており、
前記複数の見切枠部材は、当該複数の見切枠部材を前記下文字板にそれぞれ位置決めするための位置規制部を備えていることを特徴とする文字板。
【請求項２】
複数の箇所に予め定められている形状の開口部が設けられた上文字板と、
この上文字板の中央位置に、前記開口部の位置よりも上方に突出するように設けられている指針軸と、
この指針軸の突出した部分の先端に運針可能に取り付けられた複数の指針と、
前記上文字板の下側位置に配置された下文字板と、
この下文字板と前記上文字板との間で、かつ、当該上文字板における前記複数の開口部の位置と対応する位置にそれぞれ設けられた見切枠部材と、
この複数の見切枠部材と対応する位置に、運針可能にそれぞれ設けられた副針部材とを備えており、
前記複数の複数の開口部のうち、一つの開口部は、扇形状の開口部であり、前記複数の副針部材のうち、一つの副針部材は、前記扇形状の開口部を移動可能に設けられた回転板であり、
前記複数の見切枠部材は、当該複数の見切枠部材を前記下文字板にそれぞれ位置決めするための位置規制部を備えていることを特徴とする文字板。
【請求項３】
前記位置規制部は、前記見切枠部の下部に設けられた位置決め突起部と前記下文字板に形成された位置決め孔とから構成されていることを特徴とする請求項１または２に記載の文字板。
【請求項４】
前記位置規制部は、前記見切枠部の下部に設けられた位置決め突起部と前記下文字板に形成された位置決め孔とから構成されており、前記位置決め突起部の先端には、前記見切枠部を前記下文字板に対して固定するための固定部材を備えていることを特徴とする請求項１または２に記載の文字板。
【請求項５】
前記見切枠部の内周面には、装飾層が設けられていることを特徴とする請求項１〜４のいずれかに記載の文字板。
【請求項６】
前記上文字板の前記開口部は、円形状、扇形状、多角形状のいずれかの所定形状に形成されていることを特徴とする請求項１〜５のいずれかに記載の文字板。
【請求項７】
前記副針部材は、針形状、円形状、楕円形状、多角形状のいずれかの所定形状に形成されていることを特徴とする請求項１〜６のいずれかに記載の文字板。
【請求項８】
前記副針部材は、針形状に形成され、その回転中心からの長さが一端部側とで異なっていることを特徴とする請求項１〜６のいずれかに記載の文字板。
【請求項９】
請求項１に記載の文字板と、
この文字板を設けた機器本体と、
を備えたことを特徴とする電子機器。